(57)【要約】【課題】リフロー熱によるハウジングの変形を抑制すると共に、組立性の良いカード用コネクタを提供すること。【解決手段】カード６１の挿入方向に沿って形成された側壁部５、６を有するハウジング２と、ハウジング２に対してカード６１の挿入方向に沿う方向から嵌め込むことによりハウジング２に取り付けられるカバー３とを備え、側壁部５、６にカード６１の挿入方向に沿う方向からのカバー３の嵌め込みによりカバー３に係合し、ハウジング２の変形を規制する係合部３２を設けた。【選択図】図５
2011113712.tif 000002
【特許請求の範囲】
【請求項１】
カードの挿入方向に沿って形成された側壁部を有するハウジングと、
前記ハウジングに対して前記カードの挿入方向に沿う方向から嵌め込むことにより前記ハウジングに取り付けられるカバーとを備え、
前記側壁部には、前記カードの挿入方向に沿う方向からの前記カバーの嵌め込みにより前記カバーに係合し、前記ハウジングの変形を規制する係合部が設けられたことを特徴とするカード用コネクタ。
【請求項２】
前記カバーは、前記カードの挿入方向に沿って前端から後方に向かって切り欠かれた切欠部が形成され、
前記係合部は、前記側壁部の外面から外方に突出し、前記切欠部に差し込まれる突出部と、前記突出部の突出端部に連なり、当該側壁部の外面との間に前記カバーが介在可能な隙間を形成する規制部とを有することを特徴とする請求項１に記載のカード用コネクタ。
【請求項３】
前記切欠部は、延在方向の途中部分から前端側に向けて広がるように形成されたことを特徴とする請求項２に記載のカード用コネクタ。
【請求項４】
前記突出部は、前記切欠部に差し込まれることによって変形するクラッシュリブを有することを特徴とする請求項２または請求項３に記載のカード用コネクタ。
【請求項５】
前記側壁部のカードの挿入空間側の内面には、前記カードを挿入方向にガイドするガイド溝が形成されており、
前記係合部は、前記側壁部の外面において前記ガイド溝に対して背中合せで設けられたことを特徴とする請求項１から請求項４のいずれかに記載のカード用コネクタ。
【請求項６】
前記係合部は、前記側壁部の挿入口側に設けられたことを特徴とする請求項１から請求項５のいずれかに記載のカード用コネクタ。
【請求項７】
前記ハウジングに対する嵌め込み後に、嵌め込み方向とは逆側への前記カバーの移動を規制することにより、前記ハウジングに対して前記カバーを抜け止めする抜け止め部を備えたことを特徴とする請求項１から請求項６のいずれかに記載のカード用コネクタ。
【請求項８】
前記カバーは、前記ハウジングの上面を覆う上板部と、前記上板部に連なり、前記カードの挿入方向に沿う前記側壁部の外側面および下面を囲うように形成された囲い部とを有することを特徴とする請求項１から請求項７のいずれかに記載のカード用コネクタ。
【請求項９】
前記係合部は、前記カードの挿入方向に沿って延在することを特徴とする請求項１から請求項８のいずれかに記載のカード用コネクタ。
【発明の詳細な説明】
【技術分野】
【０００１】
本発明は、カード用コネクタに関し、特に、ＳＤカード等の小型カードに対応したカード用コネクタに関する。
【背景技術】
【０００２】
一般にカード用コネクタにおいては、複数の端子を電気的に分離して配置するために樹脂性のハウジングが用いられている。また、近年、カードの小型化に伴い、カード用コネクタの小型化が求められている。このような小型カードに対応したカード用コネクタは、半田付けにより回路基板に取り付けられるが、リフロー熱によりハウジングが変形し易いという問題があった。
【０００３】
従来、小型カードに対応したカード用コネクタとして、リフロー熱によるハウジングの変形を抑制するものが知られている（例えば、特許文献１参照）。このカード用コネクタは、樹脂製のハウジングの上面に形成された係止孔に、金属製のカバーから下方に延びる係止片を係止させることで組み立てられる。ハウジングは、複数の端子を保持する奥壁部から一対の側壁部が前方に延びる上面視Ｕ字型であり、一対の側壁部の間にカードの挿入空間を形成している。
【０００４】
また、カバーには、一対の側壁部の先端側の位置に合わせて、一対の側壁部の変形を規制する複数の規制片が設けられている。カード用コネクタは、カバーに形成された規制片により、リフロー熱の影響を受け易い一対の側壁部の先端側を規制することで、ハウジングの変形を抑えている。このような構成により、カードの挿入空間側への一対の側壁部の倒れ込みが抑制され、カード用コネクタに対するカードの抜き差しを阻害することが防止される。
【先行技術文献】
【特許文献】
【０００５】
【特許文献１】特開２００３−３３１９７５号公報
【発明の概要】
【発明が解決しようとする課題】
【０００６】
しかしながら、上記したような従来のカード用コネクタにおいては、ハウジングにカバーを取り付ける際に、ハウジングの係止孔に対してカバーの係止片、ハウジングの一対の側壁部に対してカバーの規制片を、それぞれ位置合わせする必要があり、組立性が悪いという問題があった。
【０００７】
本発明はこのような実情に鑑みてなされたものであり、リフロー熱によるハウジングの変形を抑制すると共に、組立性の良いカード用コネクタを提供することを目的とする。
【課題を解決するための手段】
【０００８】
本発明のカード用コネクタは、カードの挿入方向に沿って形成された側壁部を有するハウジングと、前記ハウジングに対して前記カードの挿入方向に沿う方向から嵌め込むことにより前記ハウジングに取り付けられるカバーとを備え、前記側壁部には、前記カードの挿入方向に沿う方向からの前記カバーの嵌め込みにより前記カバーに係合し、前記ハウジングの変形を規制する係合部が設けられたことを特徴とする。
【０００９】
この構成によれば、側壁部に設けられた係合部とカバーとの係合により、カード用コネクタの半田付時にリフロー熱によるハウジングの変形が抑えられる。特に、ハウジングが、奥壁部から一対の側壁部を前方に伸ばした上面視Ｕ字型に形成されている場合には、リフロー熱の影響を受け易い側壁部の変形を抑えることができる。また、ハウジングに対する挿入方向に沿う方向からのカバーの嵌め込みによってカバーが係合部に係合されるため、ハウジングに対するカバーの取り付け時に高度な位置合わせが不要となる。したがって、リフロー熱によるハウジングの変形を抑制すると共に、カード用コネクタの組立性を向上させることができる。
【００１０】
また本発明は、上記カード用コネクタにおいて、前記カバーは、前記カードの挿入方向に沿って前端から後方に向かって切り欠かれた切欠部が形成され、前記係合部は、前記側壁部の外面から外方に突出し、前記切欠部に差し込まれる突出部と、前記突出部の突出端部に連なり、当該側壁部の外面との間に前記カバーが介在可能な隙間を形成する規制部とを有することを特徴とする。
【００１１】
この構成によれば、ハウジングに対する挿入方向に沿う方向からのカバーの嵌め込みにより、切欠部に突出部が差し込まれて、側壁部の外面と規制部との間に形成された隙間にカバーが介在される。この側壁部の外面と規制部との間に介在されたカバーにより、ハウジングが補強され、リフロー熱によるハウジングの変形が規制される。また、係合部による係合領域をカードの挿入方向に沿って伸ばすことができるため、カード用コネクタを大型化することなく、ハウジングの強度を高めることが可能となる。
【００１２】
また本発明は、上記カード用コネクタにおいて、前記切欠部は、延在方向の途中部分から前端側に向けて広がるように形成されたことを特徴とする。
【００１３】
この構成によれば、ハウジングに対する挿入方向に沿う方向からのカバーの嵌め込み時に、切欠部の前端側から突出部を差し込み易くすることができる。
【００１４】
また本発明は、上記カード用コネクタにおいて、前記突出部は、前記切欠部に差し込まれることによって変形するクラッシュリブを有することを特徴とする。
【００１５】
この構成によれば、切欠部に突出部を差し込むことでクラッシュリブが変形して上下方向のガタを抑制することができる。
【００１６】
また本発明は、上記カード用コネクタにおいて、前記側壁部のカードの挿入空間側の内面には、前記カードを挿入方向にガイドするガイド溝が形成されており、前記係合部は、前記側壁部の外面において前記ガイド溝に対して背中合せで設けられたことを特徴とする。
【００１７】
この構成によれば、係合部をガイド溝に対して背中合せに設けたことにより、係合部をガイド溝に対してカードの厚み方向に離間した位置に設ける構成と比較して、カード用コネクタを薄型化することができる。
【００１８】
また本発明は、上記カード用コネクタにおいて、前記係合部は、前記側壁部の挿入口側に設けられたことを特徴とする。
【００１９】
この構成によれば、リフロー熱の影響を受け易いハウジングの挿入口側の変形を抑えることができる。
【００２０】
また本発明は、上記カード用コネクタにおいて、前記ハウジングに対する嵌め込み後に、嵌め込み方向とは逆側への前記カバーの移動を規制することにより、前記ハウジングに対して前記カバーを抜け止めする抜け止め部を備えたことを特徴とする。
【００２１】
この構成によれば、ハウジングに対するカバーの嵌め込み後に、ハウジングからのカバーの抜けを防止することができる。
【００２２】
また本発明は、上記カード用コネクタにおいて、前記カバーは、前記ハウジングの上面を覆う上板部と、前記上板部に連なり、前記カードの挿入方向に沿う前記側壁部の外側面および下面を囲うように形成された囲い部とを有することを特徴とする。
【００２３】
この構成によれば、ハウジングに対するカバーの嵌め込み時に、上板部と囲い部とをハウジングに対するガイドとすることができる。
【００２４】
また本発明は、上記カード用コネクタにおいて、前記係合部は、前記カードの挿入方向に沿って延在することを特徴とする。
【００２５】
この構成によれば、カード用コネクタを大型化することなく、係合部とカバーとの係合領域を広くとることができる。
【発明の効果】
【００２６】
本発明によれば、リフロー熱によるハウジングの変形を抑制すると共に、組立性の良いカード用コネクタを提供することを目的とする。
【図面の簡単な説明】
【００２７】
【図１】本発明に係るカード用コネクタの実施の形態を示す図であり、カード用コネクタの斜視図である。
【図２】本発明に係るカード用コネクタの実施の形態を示す図であり、カード用コネクタを背面側からみた分解斜視図である。
【図３】本発明に係るカード用コネクタの実施の形態を示す図であり、ハウジングに対するカバーの嵌め込み途中を示す図である。
【図４】本発明に係るカード用コネクタの実施の形態を示す図であり、ハウジングの変形防止構造の説明図である。
【図５】本発明に係るカード用コネクタの実施の形態を示す図であり、カード用コネクタの組み立ての説明図である。
【図６】本発明に係るカード用コネクタの実施の形態を示す図であり、カードの平面図である。
【発明を実施するための形態】
【００２８】
以下、本発明の実施の形態について添付図面を参照して詳細に説明する。なお、以下においては、本発明をカードのパッドが形成された背面を上向きで挿入するリバースタイプのカードコネクタに適用する場合について説明する。しかしながら、本実施の形態に係るカード用コネクタの適用対象については、これに限定されるものではなく適宜変更が可能である。
【００２９】
まず、本発明の実施の形態に係るカード用コネクタについて説明する前に装着対象となるカードについて説明する。図６は、本発明の実施の形態に係るカードの平面図であり、（ａ）は表面図、（ｂ）は背面図を示している。
【００３０】
図６（ａ）、（ｂ）に示すように、カード６１は、記憶媒体として用いられるいわゆるＳＤ（Secure  Digital）メモリカードであり、上面視略矩形状に形成されている。カード６１の一の角部には、切り欠かれて約４５度に傾斜した傾斜面６２が形成されている。傾斜面６２は、カード６１の挿入方向を識別するのに用いられ、この傾斜面６２が形成されている側が挿入方向における前端側とされ、逆側が挿入方向における後端側とされる。この傾斜面６２が形成された前端側から挿入されたときのみ、カード６１がカード用コネクタ１に装着される。
【００３１】
カード６１の背面における前端側には、挿入方向に延在する複数の仕切り６３によって、複数の溝部６４が形成されている。この溝部６４には、カード用コネクタ１の複数の接続端子１１に接触する複数のパッド６５が設けられている。また、カード６１の一の側面には、後述するスライド部材１４に係止される切欠部６６が形成されている。このように構成された、カード６１は、複数のパッド６５が形成された背面を上向きにした状態で、カード用コネクタ１に装着される。
【００３２】
次に、図１および図２を参照して、カード用コネクタの全体構成について説明する。図１は、本発明の実施の形態に係るカード用コネクタの斜視図である。図２は、本発明の実施の形態に係るカード用コネクタを背面側からみた分解斜視図である。
【００３３】
図１および図２に示すように、本実施の形態に係るカード用コネクタ１は、合成樹脂製のハウジング２と、ハウジング２に装着された金属製のカバー３とを備え、ハウジング２およびカバー３が組み合わされて挿入口４を有する箱状体をなしている。ハウジング２は、上面の挿入口４側の略前半部および下面の略全域が開口され、対向する一対の側壁部５、６と上面の略後半部に位置する上壁部７とによりカード６１の挿入空間を形成している。カード用コネクタ１は、ハウジング２に対して後方からカバー３を嵌め込むことで、ハウジング２の開口された下面において、側壁部５、６に沿って下方からカード６１を支持する底壁部分が形成される。
【００３４】
ハウジング２の上壁部７の略中央部分には、複数の接続端子１１が設けられている。上壁部７に設けられた各接続端子１１は、上壁部７の中央部分から奥壁部８に向かって延在している。また、各接続端子１１は、ハウジング２内に埋設された電極パターンを介して、奥壁部８に設けられた複数の外部端子１２に接続される。奥壁部８に設けられた各外部端子１２は、奥壁部８から外部に向かって延在している。
【００３５】
ハウジング２の一の側壁部５には、カード６１の挿入検出用のスイッチ部１３が設けられている。スイッチ部１３は、上方に設けられた固定接点に対して離接可能に支持されており、巻きバネにより固定接点に対して離間方向に付勢されている。スイッチ部１３は、カード６１の挿入により巻きバネの付勢力に抗して押し込まれると、固定接点に接触され、カード６１の挿入を検出する。
【００３６】
ハウジング２の一の側壁部５に対向する他の側壁部６には、側壁部６に沿ってスライド可能なスライド部材１４と、スライド部材１４のスライドに伴って伸縮するコイル状の排出バネ１５とが設けられている。排出バネ１５は、一端が奥壁部８に当接され、他端がスライド部材１４に当接されており、スライド部材１４を排出方向に付勢している。スライド部材１４は、排出バネ１５に付勢された状態で挿入および排出方向にスライド可能に構成されている。
【００３７】
スライド部材１４の後端側には、ハウジング２の中央に向かって突出する傾斜凸部２１が形成されている。傾斜凸部２１は、スライド部材１４の後端に向かって挿入空間の幅方向を狭める傾斜面を有し、この傾斜面はカード６１の傾斜面６２に当接するように約４５度に傾斜している。この傾斜凸部２１の傾斜面によって、カード６１の傾斜面６２に当接する正挿入時のみカード６１が装着位置まで案内されるので、カード６１の誤装着が防止される。
【００３８】
スライド部材１４の前端側の上面には図示しないハートカム溝が形成されており、このハートカム溝と側壁部６の前端側に設けられたラッチピン２２によりスライド部材１４の位置が規定される。ラッチピン２２は、側壁部６に沿って延在し、両端が下方に向かって略直角に屈曲している。ラッチピン２２の一端は、側壁６の前端側に回動可能に支持され、他端はスライド部材１４のハートカム溝上を摺動される。
【００３９】
ハートカム溝は、複数の段差と傾斜を有して上面視ハート型の環状に形成されており、スライド部材１４のスライドに応じてラッチピン２２の他端を一方向に摺動させる。スライド部材１４が奥壁部８の近傍の装着位置に押し込まれると、ラッチピン２２の他端がハートカム溝の係止部分に係止され、排出バネ１５の付勢によるスライド部材１４の復帰が規制される。この状態からさらにスライド部材１４が押し込まれると、ラッチピン２２とハートカム溝との係止状態が解除されて、排出バネ１５の付勢によりスライド部材１４が復帰される。このように、ラッチピン２２とハートカム溝は、スライド部材１４の装着位置における保持機能を有している。
【００４０】
また、スライド部材１４には、挿入方向に延在する金属性の板バネ２３が設けられており、板バネ２３の板面には挿入されたカード６１の切欠部６６に係止される係止凸部２４が形成されている。この係止凸部２４にカード６１の切欠部６６が係止されることで、スライド部材１４がカード６１と一体的にスライドされる。
【００４１】
ハウジング２の側壁部５、６の内側面には、前端部においてカード６１の挿入をガイドするガイド溝３１が形成されている。また、ハウジング２の側壁部５、６の外側面には、前端部において各ガイド溝３１に対して背中合せに係合部３２が設けられている。係合部３２は、カバー３の側板部３６の前端側に係合可能に形成されており、カバー３との係合により主に側壁部５、６の前端側を補強する。なお、係合部３２の詳細については、後述する。
【００４２】
カバー３は、ハウジング２の上面を覆う上板部３４と、上板部３４の両側端部から側壁部５、６の外側面および下面を覆うように折り曲げられた囲い部３５とを有している。カバー３は、上板部３４と囲い部３５とをハウジング２に沿わせるように後方から押し込むことで、ハウジング２に取り付けられる。すなわち、上板部３４および囲い部３５は、ハウジング２に対するカバー３の嵌め込み時のガイドとして機能する。
【００４３】
上板部３４の一側方には、ラッチピン２２を押えるピン押え４１が形成されている。ピン押え４１は、下板部３７側に切り起された片持バネであり、ラッチピン２２の中間部分を下方に押圧してラッチピン２２の他端をハートカム溝に押し付けている。上板部３４の挿入口４側の略前半部には、カード６１の飛び出し防止用の制動片４２が形成されている。制動片４２は、下方に僅かに切り起された片持バネであり、カード６１の背面に接触して、カード６１の排出時の飛び出しを抑制している。
【００４４】
囲い部３５は、側壁部５、６の外側面を覆う側板部３６と、カード用コネクタ１の底壁部分を形成する下板部３７とから構成されている。側板部３６には、前端から後方に向かって切り欠かれた切欠部４５が形成されている。切欠部４５は、ハウジング２に対する後方からのカバー３の嵌め込みによって係合部３２に係合される。このように、側壁部５、６の前端側がカバー３に係合されることで、カード用コネクタ１の半田付時にリフロー熱による影響を受け易い側壁部５、６の変形が抑制される。なお、切欠部４５については、詳細を後述する。
【００４５】
側板部３６の後端側には、ハウジング２に対してカバー３を抜け止めする抜け止め部４６が形成されている。抜け止め部４６は、側板部３６から後方に向かって延びる片持バネであり、先端部が内向きに折り曲げられて形成されている。抜け止め部４６は、ハウジング２に対するカバー３の嵌め込み方向への移動時に側壁部５、６から外方に撓み、ハウジング２に対するカバー３の装着を許容する。
【００４６】
抜け止め部４６は、ハウジング２にカバー３が装着されると、外方から元の位置に復帰する。このとき、抜け止め部４６の先端は、側壁部５、６に形成された当接部４４に当接され、嵌め込み方向の逆側へのカバー３の移動を規制する。このように、ハウジング２にカバー３が嵌め込まれると、抜け止め部４６の先端部と側壁部５、６の当接部４４との当接によりハウジング２からのカバー３の抜けが防止される。
【００４７】
次に、図３を参照して、ハウジングに形成された係合部とカバーに形成された切欠部について詳細に説明する。図３は、ハウジングに対するカバーの嵌め込み途中を示す図である。なお、説明の便宜上、片側の側壁部についてのみ説明する。
【００４８】
図３に示すように、係合部３２は、側壁部５の外側面５１から側方に突出した突出部４８と、突出部４８の突出端部からハウジング２の厚み方向に広がる規制部４９とを有し、断面視Ｔ字状に形成されている。また、係合部３２は、側壁部５の内側面に形成されたガイド溝３１に対して背中合せに設けられている。したがって、係合部３２とガイド溝３１とが高さ方向に離間した構成と比較して、ハウジング２の厚みを薄くすることができ、カード用コネクタ１を薄型化することが可能となっている（図４（ａ）参照）。
【００４９】
突出部４８の突出長は、側壁部５の外側面５１と、この外側面５１に対向する規制部４９との間にカバー３の側板部３６の侵入を許容する長さを有している。突出部４８の上面５３ａおよび下面５３ｂ間の高さ寸法は、側板部３６に形成された切欠部４５の切欠幅に略一致する長さを有している。したがって、側板部３６は、突出部４８の上面５３ａおよび下面５３ｂをガイド面として、側壁部５の外側面５１と規制部４９の規制面５２ａ、５２ｂとの隙間５４ａ、５４ｂに侵入する。
【００５０】
規制部４９は、側壁部５の外側面５１に対向する規制面５２ａ、５２ｂを有し、規制面５２ａ、５２ｂと外側面５１との間に側板部３６を介在させる隙間５４ａ、５４ｂを形成する。規制部４９は、この隙間５４ａ、５４ｂに側板部３６を介在させることで、側壁部５の変形を規制している。規制部４９の規制面５２ａ、５２ｂは、隙間５４ａ、５４ｂに対する側板部３６の侵入時に、側板部３６の外面をガイド面として機能する。このように、側板部３６は、隙間５４ａ、５４ｂに対して係合部３２により上下左右に位置決めされた状態で侵入する。また、規制部４９の後端側は、隙間５４ａ、５４ｂを後方に向けて広げるように面取りされている。規制部４９は、面取りにより隙間５４ａ、５４ｂ内に側板部３６の前端面を入り込み易くしている。
【００５１】
切欠部４５は、側板部３６の高さ方向の略中間位置に形成され、前端面から後方に延在している。側板部３６の前端側は、切欠部４５により二股に分岐され、係合部３２の上下に形成された隙間５４ａ、５４ｂに介在される。また、切欠部４５において、高さ方向に対向する対向面５５ａ、５５ｂ間の切欠幅は、上記したように突出部４８の上面５３ａおよび下面５３ｂの高さ寸法に略一致されている。したがって、係合部３２の突出部４８は、切欠部４５の対向面５５ａ、５５ｂをガイド面として、切欠部４５内に差し込まれる。また、切欠部４５の前端側は、切欠幅を前方に広げるように面取りされている。切欠部４５は、面取りにより切欠部４５内に係合部３２の突出部４８を差し込み易くしている。
【００５２】
このように、係合部３２は、突出部４８が切欠部４５内に差し込まれると共に、側板部３６の前端側が隙間５４ａ、５４ｂ内に侵入されることで、ハウジング２とカバー３とを係合する。この場合、カード用コネクタ１は、ハウジング２に対するカバー３の後方からの嵌め込みにより、係合部３２と側板部３６の前端側が係合されるように設計されている。よって、係合部３２と側板部３６の前端側との係合に位置合わせが不要となる。また、係合部３２と側板部３６の前端側との係合により、カード用コネクタ１の半田付時にリフロー熱によるハウジング２の変形が抑制される。なお、隙間５４ａ、５４ｂの大きさは、ハウジング２の変形によって、カード用コネクタ１の機能に支障が生じない程度に余裕を持たせてもよい。
【００５３】
また、上記実施の形態においては、切欠部４５において、高さ方向に対向する対向面５５ａ、５５ｂ間の切欠幅を、突出部４８の上面５３ａおよび下面５３ｂの高さ寸法に略一致させた設定としたが、これに代えて、突出部４８の下面５３ｂにクラッシュリブを突出形成して、組立て前において切欠部４５の切欠幅よりも若干きつくなるように設定しても良い。上記の場合は、切欠部４５内に突出部４８を差し込むことでクラッシュリブが変形して、上下方向のガタを抑制することができる。
【００５４】
以下、図４を参照して、ハウジングの変形防止構造について説明する。図４は、ハウジングの変形防止構造の説明図である。
【００５５】
図４（ａ）は、カード用コネクタ１が半田付けされていない初期状態を示している。この場合、係合部３２の突出部４８が側板部３６の切欠部４５内に差し込まれ、側板部３６の前端側が隙間５４ａ、５４ｂ内に介在されている。この初期状態からカード用コネクタ１が半田付けされると、リフロー熱による側壁部５の変形が、突出部４８と側板部３６の前端側との係合により規制される。
【００５６】
例えば、図４（ｂ）に示すように、側壁部５が挿入空間を狭める内向きに撓む場合には、規制部４９の規制面５２ａ、５２ｂが側板部３６の外面５６に当接され、側壁部５の内向きへの変形が規制される。一方、側壁部５が挿入空間を広げる外向きに撓む場合には、側壁部５の外側面５１が側板部３６の内面５７に当接され、側壁部５の外向きへの変形が規制される。
【００５７】
また、図４（ｃ）に示すように、側壁部５が下向きに捩れる場合には、側壁部５の外側面５１の上側が側板部３６の内面５７の上側に当接され、規制部４９の下側の規制面５２ｂが側板部３６の外面５６の下側に当接され、側壁部５の変形が規制される。一方、側壁部５が上向きに捩れる場合には、規制部４９の上側の規制面５２ａが側板部３６の外面５６の上側に当接され、側壁部５の外側面５１の下側が側板部３６の内面５７の下側に当接され、側壁部５の変形が規制される。
【００５８】
さらに、図４（ｄ）に示すように、側壁部５が下向きに撓む場合には、突出部４８の下面５３ｂが切欠部４５の下側の対向面５５ｂに当接され、側壁部５の下向きの変形が規制される。一方、側壁部５が上向きに撓む場合には、突出部４８の上面５３ａが切欠部４５の上側の対向面５５ａに当接され、側壁部５の上向きの変形が規制される。
【００５９】
このように、係合部３２と側板部３６の前端側との係合により、側壁部５の上下左右方向および捩れ方向の変形が規制される。特に、側壁部５の内向きの撓みが規制されるため、カード６１の挿入空間が狭められることなく、カード用コネクタ１に対するカード６１の抜き差しが阻害されることがない。また、側壁部５の下向きの撓みが規制されるため、側壁部５の前端側の落ち込みによりカバー３が基板５９から浮かされるのが防止され、カバー３の半田付けが阻害されることがない。
【００６０】
図５を参照して、カード用コネクタの組み立てについて説明する。図５は、カード用コネクタの組み立ての説明図である。なお、図５においては、（ａ）、（ｃ）が上面からみたカード用コネクタの組み立ての説明図であり、（ｂ）、（ｄ）が側面からみたカード用コネクタの組み立ての説明図である。
【００６１】
最初に、図５（ａ）、（ｂ）に示すように、ハウジング２に対してカバー３の上板部３４、側板部３６、下板部３７の位置合わせを行う。具体的には、ハウジング２の上面に上板部３４、ハウジング２の外側面に側板部３６、ハウジング２の下面に下板部３７をそれぞれ位置合わせする。そして、ハウジング２の後方からカバー３を嵌め込み、上板部３４、側板部３６、下板部３７をガイドにしてカバー３をハウジング２に対してスライドさせる。このとき、カバー３はハウジング２に対して位置決め状態でスライドされる。
【００６２】
次に、カバー３がハウジング２の前端側まで嵌め込まれると、カバー３の前端側と係合部３２との係合が開始される。このとき、図５（ｃ）、（ｄ）に示すように、カバー３の前端側は、規制部４９の規制面５２ａ、５２ｂ、突出部４８の上面５３ａおよび下面５３ｂをガイドにして、側壁部５の外側面５１と規制部４９の規制面５２ａ、５２ｂとの隙間５４ａ、５４ｂに侵入する。また、カバー３の前端側が隙間５４ａ、５４ｂに侵入されると、突出部４８が切欠部４５の対向面５５ａ、５５ｂをガイドにして、切欠部４５内に差し込まれる。
【００６３】
そして、カバー３が完全にハウジング２に嵌め込まれると、カバー３の後端側の抜け止め部４６がハウジング２の当接部４４に当接され、カード用コネクタ１が組み立てられる。この場合、係合部３２および切欠部４５は、ハウジング２に対するカバー３の嵌め込みによって、位置合わせされるように設計されている。したがって、ハウジング２に対するカバー３の組み立て時に、係合部３２と切欠部４５との位置合わせが不要となり、カード用コネクタ１の組み立て性を向上させることが可能となる。
【００６４】
以上のように、本実施の形態に係るカード用コネクタ１によれば、側壁部５に設けられた係合部３２とカバー３の前端側との係合により、カード用コネクタ１の半田付時にリフロー熱によるハウジング２の変形が抑えられる。また、ハウジング２に対する挿入方向に沿う後方からのカバー３の嵌め込みによりカバー３が係合部３２に係合されるため、ハウジング２に対するカバー３の取り付け時に高度な位置合わせが不要となる。したがって、リフロー熱によるハウジング２の変形を抑制すると共に、カード用コネクタ１の組立性を向上させることが可能となる。
【００６５】
なお、上記した実施の形態においては、本発明をカードのパッドが形成された背面を上向きで挿入するリバースタイプのカード用コネクタに適用する場合について説明したが、この構成に限定されるものではない。本発明をカードのパッドが形成された背面を下向きで挿入するノーマルタイプのカード用コネクタに適用してもよい。
【００６６】
なお、上記した実施の形態においては、本発明をＳＤカードに対応したカード用コネクタに適用する場合について説明したが、この構成に限定されるものではない。本発明をＳＤカード以外のカードに対応したカード用コネクタに適用してもよい。
【００６７】
また、上記した実施の形態においては、下面が略全域に亘って開口されたハウジングを例示して説明したが、この構成に限定されるものではない。ハウジングは、カードの挿入方向に延在する側壁部を有する構成であれば、どのような構成であってもよい。
【００６８】
また、上記した実施の形態においては、係合部が側壁部の外側面から断面視Ｔ字状に突出される構成としたが、この構成に限定されるものではない。係合部は、カードの挿入方向に沿う方向からのカバーの嵌め込みによりカバーに係合する構成であれば、どのような構成であってもよい。例えば、係合部を側壁部の上面から突出させてもよいし、断面視Ｌ字状に突出する構成としてもよい。
【００６９】
また、上記した実施の形態においては、係合部が側壁部に形成されたガイド溝と背中合せに形成される構成としたが、この構成に限定されるものではない。例えば、大型のカード用コネクタの場合には、係合部とガイド溝とが高さ方向にずらして形成されてもよい。
【００７０】
また、上記した実施の形態においては、係合部が側壁部の挿入口側に設けられる構成としたが、この構成に限定されるものではない。例えば、側壁部の変形量が少ないものであれば、側壁部の延在方向における中間位置に設けられる構成としてもよい。
【００７１】
また、上記した実施の形態においては、カバーに抜け止め部が形成された構成としたが、この構成に限定されるものではない。カード用コネクタが抜け止め部を備えていればよく、例えば、ハウジングに抜け止め部を形成する構成としてもよい。
【００７２】
また、上記した実施の形態においては、係合部をカードの挿入方向に沿って、さらに長く延在させる構成としてもよい。このような構成にすることにより、カード用コネクタを大型化することなく、係合部とカバーとの係合領域を広くとることができ、ハウジングの強度を高めることが可能となる。
【００７３】
また、今回開示された実施の形態は、全ての点で例示であってこの実施の形態に制限されるものではない。本発明の範囲は、上記した実施の形態のみの説明ではなくて特許請求の範囲によって示され、特許請求の範囲と均等の意味および範囲内での全ての変更が含まれることが意図される。
【産業上の利用可能性】
【００７４】
以上説明したように、本発明は、リフロー熱によるハウジングの変形を抑制すると共に、組立性を向上させることができるという効果を有し、特に、ＳＤカード等の小型カードに対応したカード用コネクタに有用である。
【符号の説明】
【００７５】
１  カード用コネクタ
２  ハウジング
３  カバー
４  挿入口
５、６  側壁部
３１  ガイド溝
３２  係合部
３４  上板部
３５  囲い部
３６  側板部
３７  下板部
４４  当接部
４５  切欠部
４６  抜け止め部
４８  突出部
４９  規制部
５４ａ、５４ｂ  隙間
６１  カード
【図１】
2011113712.tif 000003
【図２】
2011113712.tif 000004
【図３】
2011113712.tif 000005
【図４】
2011113712.tif 000006
【図５】
2011113712.tif 000007
【図６】
2011113712.tif 000008